(57)【要約】      （修正有）【課題】下肢衣類の伸縮性生地を傷めることなく、簡単に、アクセサリ類を下肢衣類の表側に取付けることができるアクセサリ類取付用具を提供する。【解決手段】雄側取付具Ｘ１の突起部材２２は、伸縮性生地Ｚａの押付けに伴って、伸縮性生地Ｚａを押出して、バネ部材２内に伸縮性生地Ｚａと共に挿入される。雌側取付具Ｘ２のバネ部材２は、突起部材２２及び伸縮性生地Ｚａの挿入に伴って、弾性力Ｆを有して拡径（拡大）され、ストッパ溝２３内の装着に伴って、弾性力Ｆで伸縮性生地Ｚａを突起部材２２に付勢して、突起部材２２とで伸縮性生地Ｚａを挟み込んで、アクセサリ類を下肢衣類Ｚの表側に取付ける。【選択図】図１２
0003171340.tif 000002
【実用新案登録請求の範囲】
【請求項１】
下肢に密着する伸縮性生地で形成され、前記下肢の全体又は一部を被覆する下肢衣類において、前記下肢衣類の表側及び裏側から前記伸縮性生地を挟み込んで、アクセサリ類を前記下肢衣類の表側に取付けるアクセサリ類取付用具であって、
前記伸縮性生地の表側に配置される雌側取付具と、前記伸縮性生地の裏側及び前記下肢間に配置される雄側取付具を備え、
前記雌側取付具は、
同円周上に配置される線材で形成され、弾性力を有して拡大されるバネ部材と、
前記バネ部材を拡大自在に支持し、前記アクセサリ類を前記バネ部材に間隔を隔てて配置する台座部材を含んで構成され、
前記雄側取付具は、
前記バネ部材内に挿入される円形状の突起部材と、
前記突起部材外周に形成され、前記バネ部材を取外自在に装着するストッパ溝を含んで構成され、
（ａ）前記突起部材は、
前記伸縮性生地の押付けに伴って、前記伸縮性生地を裏側から表側に押出して、前記バネ部材内に前記伸縮性生地と共に挿入され、
（ｂ）前記バネ部材は、
前記突起部材及び前記伸縮性生地の挿入に伴って、弾性力を有して拡大され、
前記ストッパ溝内の装着に伴って、前記弾性力で前記伸縮性生地を前記突起部材に付勢して、前記突起部材とで前記伸縮性生地を挟み込む、
ことを特徴とするアクセサリ類取付具。
【請求項２】
前記台座部材は、
前記アクセサリ類と反対側に開口され、前記バネ部材を収納する第１収納空間と、
前記第１収納空間外周に形成され、前記第１収納空間に連通する第２収納空間を含んで構成され、
前記バネ部材は、
前記第１収納空間内に収納され、前記同円周上に間隔を隔てて対峙される第１及び第２バネ線部と、
前記第１バネ線部及び前記第２バネ線部の一端同士を連結して、前記第２収納空間内で前記台座部材に支持される連結バネ線部と、
前記第１バネ線部の他端に連結され、前記第２収納空間内で前記台座部材に支持される第１開放バネ線部と、
前記第２バネ線部の他端に連結され、前記第２収納空間内で前記台座部材に支持される第２開放バネ線部を含んで構成され、
（ｃ）前記突起部材は、
前記伸縮性生地の押付けに伴って、前記第１収納空間の開口から前記第１バネ線部及び第２バネ線部内に前記伸縮性生地と共に挿入され、
（ｄ）前記第１バネ線部及び前記第２バネ線部は、
前記突起部材及び前記伸縮性生地の挿入に伴って、弾性力を有して離間する方向に拡大され、
前記ストッパ溝内の装着に伴って、前記弾性力で前記伸縮性生地を前記突起部材に付勢して、前記突起部材とで前記伸縮性生地を挟み込み、
（ｅ）前記第１開放バネ線部及び前記第２開放バネ線部は、
前記突起部材及び前記伸縮性生地の挿入前において、前記第２収納空間内に位置され、
前記突起部材及び前記伸縮性生地の挿入に伴って、前記第２収納空間内で離間する方向に弾性変位される、
ことを特徴とする請求項１に記載のアクセサリ類取付具。
【請求項３】
前記台座部材は、
前記突起部材及び前記伸縮性生地の挿入に伴って、前記雄側取付具を前記第１収納空間内に収納する、
ことを特徴とする請求項２に記載のアクセサリ類取付具。
【請求項４】
前記台座部材は、
前記アクセサリ類側に開口して、前記第１収納空間内に連通される取外穴を有し、
前記取外穴は、
前記第１収納空間に収納した前記雄側取付具に対して、前記第１収納空間を通して対峙される、
ことを特徴とする請求項２又は３に記載のアクセサリ類取付具。
【考案の詳細な説明】
【技術分野】
【０００１】
本考案は、アクセサリ類を下肢衣類（靴下類、レギンス、スパッツ等）の表側に取付けるアクセサリ類取付用具に関する。
【背景技術】
【０００２】
近年、アクセサリ類を下肢衣類（靴下類、レギンス、スパッツ等）に取付けることで、装飾性、デザイン性を高めた下肢衣類が提案されている。
【０００３】
アクセサリ類の取付技術として、特許文献１に開示する技術は、アクセサリ類を配置する雄側部材、及び雌側部材を備え、雄側部材及び雌側部材で靴下等の被装着物を挟み込むことで、アクセサリ類を靴下の表側に取付ける。具体的には、雄側部材の係合部を被装着物の表側から押付けることで、被装着物を表側から裏側に押出して、雌側部材の穴内に係合部及び被装着物を挿入する。続いて、雄側部材の軸部、及び雌側部材の複数の係合片で被装着物を挟み込むことで、アクセサリ類を被装着物に取付ける。
【０００４】
しかしながら、特許文献１に開示する技術では、雌側部材をやや傾斜させた状態にして、雄側部材の係合部及び被装着物を雌側部材内に挿入する必要があるため、アクセサリ類を簡単に取付けることができない。
【先行技術文献】
【特許文献】
【０００５】
【特許文献１】特開２００５−９５２２８号公報
【考案の概要】
【考案が解決しようとする課題】
【０００６】
本考案では、下肢衣類の伸縮性生地を傷めることなく、簡単に、アクセサリ類を下肢衣類の表側に取付けることができるアクセサリ類取付用具を提供することにある。
【課題を解決するための手段】
【０００７】
本考案に係る請求項１は、下肢に密着する伸縮性生地で形成され、前記下肢の全体又は一部を被覆する下肢衣類において、前記下肢衣類の表側及び裏側から前記伸縮性生地を挟み込んで、アクセサリ類を前記下肢衣類の表側に取付けるアクセサリ類取付用具であって、前記伸縮性生地の表側に配置される雌側取付具と、前記伸縮性生地の裏側及び前記下肢の間に配置される雄側取付具を備え、前記雌側取付具は、同円周上に配置される線材で形成され、弾性力を有して拡大されるバネ部材と、前記バネ部材を拡大自在に支持し、前記アクセサリ類を前記バネ部材に間隔を隔てて配置する台座部材を含んで構成され、前記雄側取付具は、前記バネ部材内に挿入される円形状の突起部材と、前記突起部材外周に形成され、前記バネ部材を取外自在として装着するストッパ溝を含んで構成され、（ａ）前記突起部材は、前記伸縮性生地の押付けに伴って、前記伸縮性生地を裏側から表側に押出して、前記バネ部材内に前記伸縮性生地と共に挿入され、（ｂ）前記バネ部材は、前記突起部材及び前記伸縮性生地の挿入に伴って、弾性力を有して拡大され、前記ストッパ溝内の装着に伴って、前記弾性力で前記伸縮性生地を前記突起部材に付勢して、前記突起部材とで前記伸縮性生地を挟み込むことを特徴とするアクセサリ類取付用具である。
本考案に係る請求項１では、下肢衣類の伸縮性生地の裏側に雄側取付具を配置し、伸縮性生地の表側に雌側取付具を配置する。雄側取付具の突起部材を伸縮性生地の裏側に押付けて、伸縮性生地を裏側から表側に押出し、突起部材及び伸縮性生地をバネ部材内に挿入する。突起部材及び伸縮性生地の挿入に伴って、バネ部材は弾力性を有して拡大され、更に突起部材及び伸縮性生地をバネ部材内に挿入すると、バネ部材は突起部材のストッパ溝内に装着される。これにより、バネ部材は、弾性力で伸縮性生地を突起部材に付勢し、突起部材とで伸縮性生地を挟み込んで、下肢衣類の表側にアクセサリ類を取付ける。バネ部材は、突起部材のストッパ溝内に装着され、弾性力で伸縮性生地を突起部材に付勢しているので、雌側取付具は雄側取付具から容易に外れない。雌側取付具において、バネ部材を拡大して、ストッパ溝内から外すことで、雌側取付具は雄側取付具から取外すことができ、各種の下肢衣類間において、アクセサリ類を取付、又は取外すことができる。
下肢とは、人体の脚を意味し、骨盤部、上腿部、下腿部及び足部で構成される。下肢衣類とは、下肢の全体又は一部を被覆する衣類であって、ソックス、ストッキング、パンティストキング、タイツ等の靴下類、レギンス、トレンカ、スパッツ等を含んでなる。
【０００８】
本考案に係る請求項２は、前記台座部材は、前記アクセサリ類と反対側に開口され、前記バネ部材を収納する第１収納空間と、前記第１収納空間外周に形成され、前記第１収納空間に連通する第２収納空間を含んで構成され、前記バネ部材は、前記第１収納空間内に収納され、前記同円周上に間隔を隔てて対峙される第１及び第２バネ線部と、前記第１バネ線部及び前記第２バネ線部の一端同士を連結して、前記第２収納空間内で前記台座部材に支持される連結バネ線部と、前記第１バネ線部の他端に連結され、前記第２収納空間内で前記台座部材に支持される第１開放バネ線部と、前記第２バネ線部の他端に連結され、前記第２収納空間内で前記台座部材に支持される第２開放バネ線部を含んで構成され、（ｃ）前記突起部材は、前記伸縮性生地の押付けに伴って、前記第１収納空間の開口から前記第１バネ線部及び前記第２バネ線部内に前記伸縮性生地と共に挿入され、（ｄ）前記第１バネ線部及び前記第２バネ線部は、前記突起部材及び前記伸縮性生地の挿入に伴って、弾性力を有して拡大され、前記ストッパ溝内の装着に伴って、前記弾性力で前記伸縮性生地を前記突起部材に付勢して、前記突起部材とで前記伸縮性生地を挟み込み、（ｅ）前記第１開放バネ線部及び前記第２開放バネ線部は、前記突起部材及び前記伸縮性生地の挿入前において、前記第２収納空間内に位置され、前記突起部材及び前記伸縮性生地の挿入に伴って、前記第２収納空間内で離間する方向に弾性変位されることを特徴とする請求項１に記載のアクセサリ類取付用具である。
本考案に係る請求項２では、雄側取付具の突起部材を伸縮性生地の裏側に押付けて、伸縮性生地を裏側から表側に押出し、突起部材及び伸縮性生地を雌側取付具の第１バネ線部及び第２バネ線部内に挿入する。突起部材及び伸縮性生地を第１バネ線部及び第２バネ線部内に挿入すると、第１バネ線部及び第２バネ線部は弾性力を有して拡大し、更に突起部材及び伸縮性生地を第１バネ線部及び第２バネ線部内に挿入すると、第１バネ線部及び第２バネ線部は突起部材のストッパ溝内に装着される。これにより、第１バネ線部及び第２バネ線部は、弾性力で伸縮性生地を突起部材に付勢して、突起部材とで伸縮性生地を挟み込んで、下肢衣類の表側にアクセサリ類を取付ける。第１及び第２バネ線部は、第１及び第２開放バネ線部側で開放されるので、突起部材及び伸縮性生地の挿入に伴って、弾性力を有して拡径される。そして、第１及び第２開放バネ線部は、突起部材及び伸縮性生地を第１バネ線部及び第２バネ線部内に挿入する前において、第２収納空間内に位置され、しかも突起部材及び伸縮性生地の挿入に伴って、第２収納空間内で離間する方向に弾性変形される。
【０００９】
本考案に係る請求項３は、前記台座部材は、前記突起部材及び前記伸縮性生地の挿入に伴って、前記雄側取付具を前記第１収納空間内に収納することを特徴とする請求項２に記載のアクセサリ類取付具である。
【００１０】
本考案に係る請求項４は、前記台座部材は、前記アクセサリ類側に開口して、前記第１収納空間内に連通される取外穴を有し、前記取外穴は、前記第１収納空間に収納した前記雄側取付具に対して、前記第１収納空間を通して対峙されることを特徴とする請求項２又は３に記載のアクセサリ類取付具である。
本考案に係る請求項４では、雄側取付具を雌側取付具の第１収納空間内に収納し、バネ部材及び突起部材とで下肢衣類を挟み込むと、下肢衣料の伸縮性生地は、雄側取付具によって裏側から表側に押出され、伸長状態となる。
雄側取付具を雌側取付具の第１収納空間に収納し、アクセサリ類取付具を下肢衣類に取付けた後、下肢衣類から雄側取付具及び雌側取付具を取外す際に、雌側取付具の台座部材の取外穴から雄側取付具（突起部材）を押すことができ、これにより、雄側取付具を雌側取付具から離間して、バネ部材内及び第１収納空間内から取外すことができる。
取外動作において、雄側取付具が雌側取付具から離間するに伴って、下肢衣類の伸縮性生地は、伸長状態から縮んで行き、遂には、雄側取付具及び雌側取付具を下肢衣類に取付けていない元の形状に戻される。
【考案の効果】
【００１１】
本考案に係る請求項１によれば、雄側取付具の突起部材を雌側取付具のバネ部材内に挿入し、バネ部材をストッパ溝内に装着するだけで、バネ部材の弾性力を利用して、雄側取付具及び雌側取付具で伸縮性生地を挟み込んで、アクセサリ類を下肢衣類の表側に取付けることができるので、下肢衣類の伸縮性生地を傷めることなく、簡単な構成及び手順で、アクセサリ類を下肢衣類の表側に取付けることができる。バネ部材は、突起部材のストッパ溝内に装着され、弾性力で伸縮性生地を突起部材に付勢しているので、アクセサリ類は下肢衣類の表側から容易に外れない。
また、雄側取付具及び雌側取付具を伸縮性生地の任意位置に配置して、雄側取付具のバネ部材及び雌側取付具の突起部材で伸縮性生地を挟み込むことで、下肢衣類の任意位置、例えば、下肢の下腿部、足部等にアクセサリ類を取外自在として取付けることが可能となる。
【００１２】
本考案に係る請求項２によれば、請求項１の効果に加えて、突起部材及び伸縮性生地を第１バネ線部及び第２バネ線部内に挿入する前において、第２収納空間内に位置され、突起部材及び伸縮性生地の挿入に伴って、第２収納空間内で離間する方向に弾性変形されるので、伸縮性生地は、第１及び第２開放バネ線部に接触することなく、第１及び第２バネ線部内の挿入に際して、第１及び第２開放バネ線部で傷つくことを防止できる。
【００１３】
本考案に係る請求項３によれば、請求項１又は２の効果に加えて、雄側取付具を雌側取付具の第１収納空間内に収納すると、下肢側に突出する部材を無くすことができ、下肢を下肢衣類で被覆した時、下肢に違和感を与えない。
【００１４】
本考案に係る請求項４によれば、請求項２又は３の効果に加えて、台座部材の取外穴を通して、雌側取付具の第１収納空間に収納した雄側取付具（突起部材）を押すことで、雄側取付具をバネ部材及び第１収納空間内から取外すことができる。
取外動作において、下肢衣類の伸縮性生地は伸長状態から縮むようにされ、これにより、雄側取付具及び雌側取付具を下肢衣類から取外す際に、下肢衣類の伸縮生地を引っ張って伸長することなく取外すことができるので、下肢衣類の伸縮性生地を傷めることを防止できる。特に、伸縮性生地の薄い、パンティストッキング等に有効であり、伸縮性生地を傷めることなく、雄側取付具及び雌側取付具を下肢衣類から取外すことができる。
【図面の簡単な説明】
【００１５】
【図１】アクセサリ類取付用具の雌側取付具を示す正面図である。
【図２】アクセサリ類取付用具の雌側取付具を示す側面図である。
【図３】図２のＢ−Ｂ矢視図である。
【図４】図２のＣ−Ｃ断面図である。
【図５】図１のＡ−Ａ断面図である。
【図６】アクセサリ類取付用具の雄側取付具を示す側面図である。
【図７】アクセサリ類取付用具の雄側取付具を示す正面図である。
【図８】図６の雄側取付具を示す一部拡大側面図である。
【図９】雄側取付具を伸縮性生地の裏側に配置した状態を示す図であって、（ａ）は側面図、（ｂ）は正面図である。
【図１０】雄側取付具及び伸縮性生地を雌側取付具の第１収納空間内に挿入した状態を示す断面側面図である。
【図１１】雄側取付具及び伸縮性生地を雌側取付具の第１及び第２バネ線部内に装着した図であって、（ａ）は断面側面図、（ｂ）は断面正面図である。
【図１２】雌側取付具の第１及び第２バネ線部を雄側取付具のストッパ溝内に装着した状態を示す図であって、（ａ）は断面側面図、（ｂ）は断面正面図である。
【図１３】アクセサリ取付用具の他の実施形態１を示す図であって、（ａ）は雄側取付具の側面図、（ｂ）は雄側取付具を台座部材に挿入する状態を示す断面側面図である。
【図１４】アクセサリ取付具の他の実施形態２を示す図であって、（ａ）はバネ部材の構成を示す断面正面図である。
【図１５】図１４において、第１及び第２バネ線部を雄側取付具のストッパ溝内に装着した状態を示す断面正面図である。
【図１６】アクセサリ類取付具の他の実施形態３を示す図であって、雌側取付具を示す側面図である。
【図１７】アクセサリ類取付具の他の実施形態３を示す図であって、図１６のＤ−Ｄ正面図である。
【図１８】図１７のＦ−Ｆ断面図である。
【図１９】図１６のＥ−Ｅ断面図である。
【図２０】アクセサリ類取付具の他の実施形態３を示す図であって、雄側取付具を示す正面図である。
【図２１】他の実施形態３の雄側取付具及び伸縮性生地を雌側取付具の第１及び第２バネ線部内に装着した図であって、（ａ）は断面側面図、（ｂ）は断面正面図である。
【図２２】他の実施形態３の雄側取付具を雌側取付具から取外す状態を示す図であって、（ａ）は雄側取付具を雌側取付具に収納した断面正面図、（ｂ）は雄側取付具を雌側取付具から取外した断面正面図である。
【図２３】下肢、下肢衣類及びアクセサリ類取付用具の関係を示す斜視図である。
【考案を実施するための形態】
【００１６】
本考案に係るアクセサリ類取付用具について、図１乃至図２３を参照して説明する。
【００１７】
＜アクセサリ類取付用具（Ｘ）の適用＞
図２３において、アクセサリ取付用具（Ｘ）は、下肢（Ｙ）の全体又は一部を被覆する下肢衣類（Ｚ）に対して取外自在に装着（取付）され、アクセサリ類（Ａ）を下肢衣類（Ｚ）の表側（Ｚ１）に取付ける。
下肢（Ｙ）は、図２３に示すように、人体の脚を意味し、骨盤部（Ｙ１）、上腿部（Ｙ２：大腿部）、下腿部（Ｙ３）及び足部（Ｙ４）で構成される。
下肢衣類（Ｚ）は、図２３に示すように、伸縮性生地（Ｚａ：伸縮性繊維）で形成され、例えば、下肢（Ｙ）の全体を被覆するパンティストッキング（又はタイツ）を構成する。下肢衣類（Ｚ）は、下肢（Ｙ）の一部を被覆する衣類を含み、ソックス、ストッキング等の靴下類、又はレギンス、トレンカ、スパッツ等を構成する。下肢衣類（Ｚ）の伸縮性生地（Ｚａ）は、アクリル、ナイロン、綿、ポリエステル、ポリウレタン等の複数の繊維糸を編み込んで形成され、例えば、パンティストキング（又はタイツ）は、ポリウレタン弾性糸及びナイロン糸の混合糸からなる伸縮性生地（Ｚａ）で構成される。
【００１８】
＜アクセサリ類取付用具（Ｘ）の具体構成＞
次に、アクセサリ類取付用具（Ｘ）の具体構成について、図１乃至図８を参照して説明する。
【００１９】
アクセサリ類取付用具（Ｘ）は、下肢衣類（Ｚ）の表側及び裏側から伸縮性生地（Ｚａ）を挟み込んで、アクセサリ類（Ａ）を下肢衣類（Ｚ）の表側に取外自在として取付ける（図１２及び図１３参照）。
【００２０】
図１乃至図８において、アクセサリ類取付用具（Ｘ）は、雌側取付具（Ｘ１）及び雄側取付具（Ｘ２）を備えている。雌側取付具（Ｘ１）は、下肢衣料（Ｚ）において、伸縮性生地（Ｚａ）の表側（Ｚ１）に配置され、雄側取付具（Ｘ２）は、伸縮性生地（Ｚａ）の裏側（Ｚ２）及び下肢（Ｙ）間に配置される（図１２参照）。
【００２１】
図１乃至図５において、雌側取付具（Ｘ１）は、台座部材（１）及びバネ部材（２）を含んで構成され、台座部材（１）は、バネ部材（２）及び雄側取付具（Ｘ２）を収納する。
台座部材（１）は、バネ部材（２）を拡径自在（拡大自在）に支持し、アクセサリ類（Ａ）をバネ部材（２）に間隔を隔てて配置する。
台座部材（１）は、図２及び図５に示すように、円形底面（１Ａ）を有し、円形底面（１Ａ）の軸心線（ａ）の方向（Ｕ）に突出する略半球状（ドーム状）に形成され、半球状表面（１Ｂ）にアクセサリ類（Ａ）を配置する。なお、台座部材（１）は、略半球状（ドーム状）に限定されず、バネ部材（２）及び雄側取付具（Ｘ２）を収納する各種の形状を採用できる。なお、台座部材（１）は、硬質樹脂や金属等で形成できる。
アクセサリ類（Ａ）は、装飾部材（装飾品）であって、植物、動物及び昆虫等の立体装飾品、ブローチ等の宝飾品、装飾ペイント等で構成される。
【００２２】
台座部材（１）は、図１、図３乃至図５に示すように、第１収納空間（３）及び第２収納空間（５）を含んで構成され、各収納空間（３）、（５）は台座部材（１）内に形成されている。
第１収納空間（３）は、バネ部材（２）及び雄側取付具（Ｘ２）を収納する。第１収納空間（３）は、図１、図３乃至図５に示すように、軸心線（ａ）を中心に、直径寸法：Ｄ１の円形穴に形成され、軸心線（ａ）の方向（Ｕ：以下「軸心線方向（Ｕ）」と称する）において、アクセサリ類（Ａ）と反対側の円形底面（１Ａ）に開口（１ａ）している。第１収納空間（３）は、軸心線方向（Ｕ）において、円形底面（１Ａ）の開口（１ａ）から半球状表面（１Ｂ）近傍まで延設されている。
第１収納空間（３）において、円形穴の直径寸法：Ｄ１、及び軸心線方向（Ｕ）の高さ寸法（Ｈ）は、バネ部材（２）の拡径を許容し、雄側取付具（Ｘ２）を収納できる寸法とする。
【００２３】
第２収納空間（５）は、図１、図３乃至図５に示すように、バネ部材（２）を収納して拡径自在（拡大自在）に支持する。第２収納空間（５）は、第１収納空間（３）外周に形成される。第２収納空間（５）は、軸心線（ａ）を中心に、直径寸法：Ｄ２の円形溝に形成され、第１収納空間（３）と同軸心に配置される。なお、第２収納空間（５）の直径寸法：Ｄ２＞第１収納空間（３）の直径寸法：Ｄ１の関係にある。
第２収納空間（５）は、第１収納空間（３）外周に渡って第１収納空間（３）に連通している。第２収納空間（５）は、図５に示すように、軸心線方向（Ｕ）において、円形底面（１Ａ）に間隔（Ｈ１）を隔てて配置され、軸心線方向（Ｕ）に直交する径方向に、溝深さ寸法：Ｓ［Ｓ＝｛直径寸法：Ｄ２−直径寸法：Ｄ１｝／２］を有し、軸心線方向（Ｕ）に、溝幅寸法：Ｔを有している。
第２収納空間（５）において、溝深さ寸法：Ｓは、バネ部材（２）を収納し、バネ部材（２）の拡径（拡大）を許容できる寸法とする。
【００２４】
第２収納空間（５）及び円形底面（１Ａ）の間において、第１収納空間（３）の内周（３ａ）は、図５に示すように、軸心線（ａ）に向けて突出する円孤状に形成されている。
第２収納空間（５）は、図１、図３及び図４に示すように、バネ挿入穴（６）を通して円形底面（１Ａ）に開口している。バネ挿入穴（６）は、軸心線方向（Ｕ）に延設され、第２収納空間（５）を台座部材（１）外側に連通する。バネ挿入穴（６）は、軸心線方向（Ｕ）に渡って、第１収納空間（３）に連通している。
【００２５】
バネ部材（２）は、図１、図３乃至図５に示すように、台座部材（１）内に収納され、雄側取付具（Ｘ２）の挿入に伴って、弾性力を有して拡径（拡大）される。
バネ部材（２）は、ステンレス鋼等であって、直径寸法：ｄａの金属線材で一体形成され、第１及び第２バネ線部（２Ａ）、（２Ｂ）、連結バネ線部（２Ｃ）、第１及び第２開放バネ線部（２Ｄ）、（２Ｅ）を含んで構成される。
第１バネ線部（２Ａ）及び第２バネ線部（２Ｂ）は、図１、図３及び図４に示すように、第１収納空間（３）内に収納され、第２収納空間（５）に対峙している。
【００２６】
第１バネ線部（２Ａ）及び第２バネ線部（２Ｂ）は、軸心線（ａ）を中心に、直径寸法：ｄｂの同円周（ｃ）上に配置され、周方向に間隔を隔てて対峙される。第１バネ線部（２Ａ）及び第２バネ線部（２Ｂ）は、同円周（ｃ）の一部を構成する内周直径寸法：ｄｃの円形状に形成され、第１収納空間（３）と同軸心に配置されている。なお、内周直径寸法：ｄｃ＜第１収納空間（３）の直径寸法：Ｄ１の関係にある（図４参照）。
第１バネ線部（２Ａ）及び第２バネ線部（２Ｂ）は、軸心線方向（Ｕ）に直交する径方向において、第１収納空間（３）内周（３ａ）に間隔（ｆ）を隔てて位置され、間隔（ｆ）は、第１バネ線部（２Ａ）及び第２バネ線部（２Ｂ）が拡径しても第１収納空間（３）内周（３ａ）に接触しない寸法とする。
【００２７】
バネ部材（２）において、連結バネ線部（２Ｃ）は、第１及び第２バネ線部（２Ａ）、（２Ｂ）の一端同士を連結する。連結バネ線部（２Ｃ）は、図３及び図４に示すように、第１及び第２バネ線部（２Ａ）、（２Ｂ）の一端から第２収納空間（５）内に延設され、例えば、略Ｕ字状に形成されている。
連結バネ線部（２Ｃ）は、第２収納空間（５）内に収納され、第２収納空間（５）内で台座部材（１）に支持される。
【００２８】
バネ部材（２）において、第１開放バネ線部（２Ｄ）は、第１バネ線部（２Ａ）の他端に連結される。第１開放バネ線部（２Ｄ）は、第１バネ線部（２Ａ）の他端から第２収納空間（５）内に延設されている。第１開放バネ線部（２Ｄ）は、第２収納空間（５）内に収納され、第２収納空間（５）内で台座部材（１）に支持される。
【００２９】
バネ部材（２）において、第２開放バネ線部（２Ｅ）は、第２バネ線部（２Ｂ）の他端に連結され、第１開放バネ線部（２Ｄ）に間隔（Ｌ１）を隔てて対峙している。第２開放バネ線部（２Ｅ）は、第２バネ線部（２Ｂ）の他端から第２収納空間（５）内に延設されている。第２開放バネ線部（２Ｅ）は、第２収納空間（５）内に収納され、第２収納空間（５）内で台座部材（１）に支持されている。
【００３０】
バネ部材（２）の内側面（２Ｆ）において、図３に示すように、第１及び第２バネ線部（２Ａ）、（２Ｂ）と連結バネ線部（２Ｃ）の間、第１及び第２バネ線部（２Ａ）、（２Ｂ）と第１及び第２開放バネ線部（２Ｄ）、（２Ｅ）の間は、半径（Ｒ１）、（Ｒ２）の円孤部（２ａ）、（２ｂ）を形成している。
【００３１】
バネ部材（２）は、図３及び図４に示すように、連結バネ線部（２Ｃ）を円形底面（１Ａ）の開口（１ａ）から台座部材（１）の第１収納空間（３）内に挿入する。続いて、第１及び第２開放バネ線部（２Ｄ）、（２Ｅ）の間隔（Ｌ１）を狭めるように、バネ部材（２）を弾性変形し、連結バネ線部（２Ｃ）を第２収納空間（５）内に挿入し、及び第１及び第２バネ線部（２Ａ）、（２Ｂ）を第１収納空間（３）内に挿入しつつ、第１及び第２開放バネ線部（２Ｄ）、（２Ｅ）をバネ挿入穴（６）内に挿入する。
第２バネ部材（２）において、第１及び第２開放バネ部（２Ｄ）、（２Ｅ）をバネ挿入穴（６）を通して第２収納空間（５）内に収納し、バネ部材（３）の弾性変形を解放する。これにより、バネ部材（２）は、図３及び図４に示すように、第１及び第２バネ線部（２Ａ）、（２Ｂ）を第１収納空間（３）内の同円周（ｃ）上に配置し、連結バネ線部（２Ｃ）、第１及び第２開放バネ線部（２Ｄ）、（２Ｅ）を第２収納空間（５）内で台座部材（１）に支持する。
【００３２】
図５において、第２収納空間（５）の溝幅寸法：Ｔ及びバネ部材（２）の直径寸法：ｄａの関係は、下肢衣類（Ｚ）の伸縮性生地（Ｚａ）の厚み寸法：ｔを考慮して、溝幅寸法：Ｔ＞直径寸法：ｄａ＋厚み寸法：ｔの関係にある。これにより、バネ部材（２）は、軸心線方向（Ｕ）に変位（移動）できる。
【００３３】
図６乃至図８において、雄側取付具（Ｘ２）は、基部材（２１）、突起部材（２２）及びストッパ溝（２３）を含んで構成される。なお、雄側取付具（Ｘ２）は、硬質樹脂や金属等で形成できる。
【００３４】
基部材（２１）は、図６乃至図８に示すように、軸心線（ｇ）を中心に、直径寸法：ｄ１の円板状に形成される。基部材（２１）は、軸心線（ｇ）の方向（Ｐ：以下「軸心線方向（Ｐ）」と称する）に、厚さ寸法：ｈ１を有している。
基部材（２１）の外周（２１Ａ）は、軸心線方向（Ｐ）の両軸端側において、半径（Ｒ３）の円弧部（２１ａ）、（２１ｂ）を形成してなる。
図４及び図６において、基部材（２１）の直径寸法：ｄ１、及び第１収納空間（３）の直径寸法：Ｄ１の関係は、直径寸法：ｄ１＜直径寸法：Ｄ１の関係にあり、図５及び図６において、基部材（２１）の厚さ寸法：ｈ１、及び第１収納空間（３）の間隔（Ｈ１）の関係は、厚さ寸法：ｈ１＜間隔（Ｈ１）の関係にある。これにより、基部材（２１）は、第１収納空間（３）内の間隔（Ｈ１）間に収納できる。
【００３５】
突起部材（２２）は、図６乃至図８に示すように、基部材（２１）に一体形成される。突起部材（２２）は、軸心線（ｇ）を中心に、直径寸法：ｄ２の円形状に形成され、基部材（２１）と同軸心に配置される。突起部材（２２）は、軸心線方向（Ｐ）に高さ寸法：ｈ２を有して突出されている。
突起部材（２２）の外周（２２Ａ）は、図６及び図８に示すように、半径（Ｒ４）の第１円弧部（２２ａ）及び半径（Ｒ５）の第２円弧部（２２ｂ）を形成してなり、各円弧部（２２ａ）、（２２ｂ）は、軸心線方向（Ｐ）に連続的に形成される。
第１円弧部（２２ａ）は、軸心線方向（Ｐ）において、突起部材（２２）の上軸端（２２ｃ）から基部材（２１）に向って形成され、上軸端（２２ｃ）の直径寸法：ｄ３としている。第１円弧部（２２ａ）は、突起部材（２２）の上軸端（２２ｃ）から基部材（２１）に向うに従って段々に拡径され、直径寸法：ｄ２に至る円弧状に形成される。
図４及び図６、図８において、突起部材（２２）の直径寸法：ｄ２、及び第１収納空間（３）の直径寸法：Ｄ１の関係は、直径寸法：ｄ２＜直径寸法：Ｄ１の関係にある。
突起部材（２２）の直径寸法：ｄ２、及びバネ部材（２）の内周直径寸法：ｄｃの関係は、直径寸法：ｄ２＞内周直径寸法：ｄｃの関係にあり、突起部材（２２）の直径寸法：ｄ３、及びバネ部材（２）の内周直径寸法：ｄｃの関係は、直径寸法：ｄ３＜内周直径寸法：ｄｃの関係にある。
雄側取付具（Ｘ２）の高さ寸法（ｈ：ｈ＝基部材（２１）の厚さ寸法：ｈ１＋突起部材（２２）の高さ寸法：ｈ２）、及び第１収納空間（３）の高さ寸法（Ｈ）の関係は、高さ寸法：ｈ＜高さ寸法：Ｈの関係にある。
これにより、雄側取付具（Ｘ２）は、突起部材（２２）側から台座部材（１）の第１収納空間（３）内に突起部材（２２）及び基部材（２１）を収納でき、突起部材（２２）は、バネ部材（２）の第１及び第２バネ線部（２Ａ）、（２Ｂ）内に挿入でき、更にバネ部材（２）の第１及び第２バネ線部（２Ａ）、（２Ｂ）内の挿入に伴って、バネ部材（２）の第１及び第２バネ線部（２Ａ）、（２Ｂ）等を弾性力を有して拡径できる。
【００３６】
第２円弧部（２２ｂ）は、図８に示すように、軸心線方向（Ｐ）において、第１円弧部（２２ａ）から基部材（２１）に向って形成される。第２円弧部（２２ｂ）は、第１円弧部（２２ａ）から基部材（２１）に向うに従って段々に縮径され、ストッパ溝（２３）に連続している。
【００３７】
ストッパ溝（２３）は、図６乃至図８に示すように、突起部材（２２）外周に形成され、バネ部材（２）の第１及び第２バネ線部（２Ａ）、（２Ｂ）及び伸縮性生地（Ｚａ）を装着する。
ストッパ溝（２３）は、軸心線（ｇ）を中心に、突起部材（２２）外周に開口する円形溝に形成され、基部材（２１）及び突起部材（２２）と同軸心に配置される。
ストッパ溝（２３）は、第２円弧部（２２ｂ）及び基部材（２１）間に位置して、第２円弧部（２２ｂ）及び基部材（２１）に連続している。
ストッパ溝（２３）は、軸心線方向（Ｐ）の直交する径方向に、溝深さ寸法：Ｓ１を有し、軸心線方向（Ｐ）に、溝幅寸法：Ｔ１を有し、突起部材（２２）の直径寸法：ｄ４としている。なお、直径寸法：ｄ４＝直径寸法：ｄ２−２×溝深さ寸法：Ｓ１である。
図４及び図６、図８において、ストッパ溝（２３）の溝深さ寸法：Ｓ１、及びバネ部材（２）の直径寸法：ｄａの関係は、伸縮性生地（Ｚａ）の厚さ寸法：ｔを考慮して、溝深さ寸法：Ｓ１＝［直径寸法：ｄａ／２］＋厚さ寸法：ｔの関係にあり、ストッパ溝（２３）の溝幅寸法：Ｔ１、及びバネ部材（２）の直径寸法：ｄａの関係は、伸縮性生地（Ｚａ）の厚さ寸法：ｔを考慮して、溝幅寸法：Ｔ１＞直径寸法：ｄａ＋厚さ寸法：ｔの関係にある。これにより、ストッパ溝（２３）は、バネ部材（２）の第１及び第２バネ線部（２Ａ）、（２Ｂ）を伸縮性生地（Ｚａ）と共に装着できる。
図４及び図６、図８において、突起部材（２２）の直径寸法：ｄ４、及びバネ部材（２）の内周直径寸法：ｄｃの関係は、直径寸法：ｄ４＞内周直径寸法：ｄａの関係にある。これにより、バネ部材（２）の第１及び第２バネ線部（２Ａ）、（２Ｂ）は、ストッパ溝（２３）内において、伸縮性生地（Ｚａ）を弾性力を持って突起部材（２２）に付勢できる。
【００３８】
＜アクセサリ類（Ａ）の取付／取外＞
次に、アクセサリ類取付用具（Ｘ）の取付手順、及び取外手順について、図９乃至図１３を参照して説明する。
【００３９】
＜アクセサリ類取付用具（Ｘ）の取付手順＞
図９（ａ）において、雄側取付具（Ｘ２）を下肢衣類（Ｚ：パンティストキング）内に挿入し、アクセサリ類（Ａ）を取付ける位置、例えば、図１３に示すように、下肢（Ｙ）の下腿部（Ｙ３）に位置する。
雄側取付具（Ｘ２）において、突起部材（２２）は、下肢衣類（Ｚ）の伸縮性生地（Ｚａ）の裏側（Ｚ２）に対峙し、更に伸縮性生地（Ｚａ）の裏側（Ｚ２）に接触させる（図９（ａ）参照）。
【００４０】
続いて、雄側取付具（Ｘ２）の突起部材（２２）を伸縮性生地（Ｚａ）の裏側（Ｚ２）へ押付ける。突起部材（２２）は、図９（ｂ）に示すように、伸縮性生地（Ｚａ）の裏側（Ｚ２）への押付けに伴って、伸縮性生地（Ｚａ）を裏側（Ｚ２）から表側（Ｚ１）に押出す。
伸縮性生地（Ｚａ）は、突起部材（２２）の押出しに伴って、突起部材（２２）及び基部材（２１）を被覆するように、突起部材（２２）及び基部材（２１）に密着される。
このとき、伸縮性生地（Ｚａ）は、突起部材（２２）の第１及び第２円弧部（２２ａ）、（２２ｂ）と、基部材（２１）の円弧部（２１ａ）に接触するので、突起部材（２２）等を伸縮性生地（Ｚａ）に押付けても、突起部材（２２）に引っ掛かることがなく、伸縮性生地（Ｚａ）の伝線、又は破れを防止できる。
【００４１】
図１０において、下肢衣類（Ｚ）の伸縮性生地（Ｚａ）を表側（Ｚ１）に押出すと、雌側取付具（Ｘ１）を伸縮性生地（Ｚａ）の表側（Ｚ１）に配置する。
雌側取付具（Ｘ１）は、図１０に示すように、台座部材（１）の円形底面（１Ａ）側から第１収納空間（３）の開口（１ａ）を、雄側取付具（Ｘ１）の突起部材（２２）に対峙する。このとき、台座部材（１）の第１収納空間（３）は、伸縮性生地（Ｚａ）を介在して、雄側取付部材（Ｘ２）の突起部材（２２）上に位置され、更に台座部材（１）の軸心線（ａ）及び突起部材（２２）の軸心線（ｇ）を一致させる。
図９（ｂ）及び図１０において、突起部材（２２）は、伸縮性生地（Ｚａ）の裏側（Ｚ２）への押付けに伴って、伸縮性生地（Ｚａ）と共に、台座部材（１）の開口（１ａ）から第１収納空間（３）内に挿入される。
【００４２】
図１１において、突起部材（２２）及び伸縮性生地（Ｚａ）を第１収納空間（３）内に挿入すると、突起部材（２２）は、バネ部材（２）の第１及び第２バネ線部（２Ａ）、（２Ｂ）内に伸縮性生地（Ｚａ）と共に挿入される。
このとき、突起部材（２２）及びバネ部材（２）において、上軸端（２２ｃ）の直径寸法：ｄ３及びバネ部材（２）の内周直径寸法：ｄｃの関係は、直径寸法：ｄ３＜内周直径寸法：ｄｃの関係であるため、突起部材（２２）及び伸縮性生地（Ｚａ）は、内周直径寸法：ｄｃの位置まで、第１及び第２バネ線部（２Ａ）、（２Ｂ）内に挿入される。
突起部材（２２）及び伸縮性生地（Ｚａ）は、図１１に示すように、第１及び第２バネ線部（２Ａ）、（２Ｂ）内に挿入されると、遂に、第１円弧部（２２ａ）に位置する伸縮性生地（Ｚａ）の表側（Ｚ１）に第１及び第２バネ線部（２Ａ）、（２Ｂ）を接触させる。
【００４３】
図１１において、バネ部材（２）の第１及び第２バネ線部（２Ａ）、（２Ｂ）は、突起部材（２２）及び伸縮性生地（Ｚａ）の挿入に伴って、弾性力（Ｆ）を有して離間する方向に拡径（拡大）される。
突起部材（２２）の第１円弧部（２２ａ）は、基部材（２１）に向に従って段々に拡径し、直径寸法：ｄ２に至る円弧形状であるので、第１及び第２バネ線部（２Ａ）、（２Ｂ）は、第１円弧部（２２ａ）に位置する伸縮性生地（Ｚａ）の表側（Ｚ１）に接触した後、突起部材（２２）及び伸縮性生地（Ｚａ）の挿入に伴って、突起部材（２２）の直径寸法がバネ部材（２）の内周直径寸法：ｄｃを超えると、弾性力（Ｆ）を有して拡径（弾性変形）される。
バネ部材（２）の弾性変形（拡径）は、図１１（ｂ）に示すように、連結バネ線部（２Ｃ）を第２収納空間（５）内で拡大するように弾性変位される。更に、第１開放バネ線部（２Ｄ）及び第２開放バネ線部（２Ｅ）は、図１１（ｂ）に示すように、第２収納空間（５）内において、間隔（Ｌ１）を広げつつ離間する方向に弾性変位される。
下肢衣類（Ｚ）の伸縮性生地（Ｚａ）は、第１及び第２バネ線部（２Ａ）、（２Ｂ）内の挿入に伴って、図１１（ｂ）に示すように、バネ部材（２）の内側面（２Ｆ）に接触する。このとき、伸縮性生地（Ｚａ）は、第１及び第２バネ線部（２Ａ）、（２Ｂ）の内側面（２Ｆ）及び各円孤部（２ａ）、（２ｂ）に接触するので、バネ部材（２）による伝線、破れを防止できる。
第１及び第２開放バネ線部（２Ｄ）、（２Ｅ）は、図４及び図１１（ｂ）に示すように、突起部材（２）及び伸縮性生地（Ｚａ）の挿入前後において、第２収納空間（５）内で弾性変位するので、突起部材（２２）及び伸縮性生地（Ｚａ）を第１及び第２バネ線部（２Ａ）、（２Ｂ）内に挿入する際、及び挿入している最中に、伸縮性生地（Ｚａ）は、図１１（ｂ）に示すように、バネ部材（２）の第１及び第２開放バネ線部（２Ｄ）、（２Ｅ）に接触しない。これにより、伸縮性生地（Ｚａ）は、第１及び第２開放バネ線部（２Ｄ）、（２Ｅ）による伝線、破れを防止できる。
【００４４】
バネ部材（２）の第１及び第２バネ線部（２Ａ）、（２Ｂ）は、第１円弧部（２２ａ）に位置する伸縮性生地（Ｚａ）に接触しつつ、突起部材（２２）の第１円弧部（２２ａ）で案内、拡径されつつ、第２円弧部（２２ｂ）の伸縮性生地（Ｚａ）に至る。
続いて、第１及び第２バネ線部（２Ａ）、（２Ｂ）は、図１２に示すように、突起部材（２２）及び伸縮性生地（Ｚａ）の挿入に伴って、第２円弧部（２２ｂ）に位置する伸縮性生地（Ｚａ）に接触し、第２円弧部（２２ｂ）で縮径されつつ案内されて、ストッパ溝（２３）内に装着される。
第１及び第２バネ線部（２Ａ）、（２Ｂ）は、図１２に示すように、ストッパ溝（２３）内への装着に伴って、縮径されるので、弾性力（Ｆ）で伸縮性生地（Ｚａ）を突起部材（２２）に付勢して、ストッパ溝（２３）内において、突起部材（２３）とで伸縮性生地（Ｚａ）を挟み込む。このとき、バネ部材（２）の第１及び第２開放バネ線部（２Ｄ）、（２Ｅ）は、図１２（ｂ）に示すように、間隔（Ｌ１）を狭めて弾性変位するが、弾性変位は第２収納空間（５）内で変位するので、伸縮性生地（Ｚａ）に接触しない。
伸縮性生地（Ｚａ）は、図１２（ａ）に示すように、ストッパ溝（２３）内において、第１及び第２バネ線部（２Ａ）、（２Ｂ）及び突起部材（２２）間に挟み込まれ、更に、軸心線方向（Ｐ）において、第１及び第２バネ線部（２Ａ）、（２Ｂ）及び基部材（２１）間に挟み込まれる。これにより、雌側取付具（Ｘ１）及び雄側取付具（Ｘ２）は、一体化され、協働して、下肢衣料（Ｚ）の表側及び裏側から伸縮性生地（Ｚａ）を挟み込んで、アクセサリ類（Ａ）を下肢衣類（Ｚ）の表側に取付ける。
【００４５】
アクセサリ類（Ａ）を下肢衣類（Ｚ）の表側に取付けると、雌側取付具（Ｘ１）の台座部材（１）は、図１２（ａ）に示すように、軸心線方向（Ｐ）において、突起部材（２２）から離間する方向に移動自在となる。台座部材（１）移動に伴って、バネ部材（２）の第１及び第２バネ線部（２Ａ）、（２Ｂ）は、図１２（ａ）に示すように、ストッパ溝（２３）に連続する第２円弧部（２２ｂ）に接触し、ストッパ溝（２３）内から容易に抜け出ることを防止し、これにより、雌側取付具（Ｘ１）の台座部材（１）が突起部材（２２）から外れることを抑制する。
【００４６】
伸縮性生地（Ｚａ）は、第１及び第２バネ線部（２Ａ）、（２Ｂ）内の挿入に伴って、図１２（ａ）に示すように、第１収納空間（３）の開口（１ａ）側において、第１収納空間（３）の内周（３ａ）に接触する。このとき、第１収納空間（３）の内周（３ａ）は、円弧状に形成されているので、伸縮性生地（Ｚａ）は、第１収納空間（３）の内周（３ａ）に接触しても伝線や破れを生じない。
【００４７】
図１２において、第１及び第２バネ線部（２Ａ）、（２Ｂ）をストッパ溝（２３）内に装着すると、突起部材（２２）及び基部材（２１）は、台座部材（１）の第１収納空間（３）内に収納される。このとき、突起部材（２２）は、図１２（ａ）に示すように、軸心線方向（Ｐ）において、第２収納空間（５）から第１収納空間（３）の上方側に収納され、基部材（２１）は、第１収納空間（３）の開口（１ａ）側の間隔（Ｈ１）間に収納される。
このように、雄側取付具（Ｘ２）の突起部材（２２）及び基部材（２１）を、雌側取付具（Ｘ１）の第１収納空間（３）内に収納すると、図１２（ａ）に示すように、下肢（Ｙ）側に突出する部材を無くすことができ、下肢（Ｙ１）に下肢衣料（Ｚ）を装着した時、下肢（Ｙ）に違和感を与えない。
【００４８】
＜アクセサリ類取付用具（Ｘ）の取外手順＞
雌側取付具（Ｘ１）において、台座部材（１）は、図１２（ａ）に示すように、軸心線方向（Ｐ）において、突起部材（２２）から離間する方向へ引っ張る。第１及び第２バネ線部（２Ａ）、（２Ｂ）は、図１１（ａ）に示すように、第２円弧部（２２ｂ）の伸縮性生地（Ｚａ）に接触し、台座部材（１）の引っ張りに伴って、第２円弧部（２２）で拡径、案内されつつ、ストッパ溝（２３）内から突起部材（２２）に至る。
続いて、台座部材（１）は、図１０に示すように、突起部材（２２）から離間する方向に引っ張ることで、第１及び第２バネ線部（２Ａ）、（２Ｂ）内から突起部材（２２）を抜き出し、更に台座部材（１）の第１収納空間（５）内から取外す。
これにより、雌側取付具（Ｘ２）は、雄側取付具（Ｘ１）から分離され、アクセサリ類（Ａ）を下肢衣類（Ｚ）の表側から取外す。
このように、アクセサリ類取付用具（Ｘ）は、下肢衣類（Ｚ）に対して取外自在にすると、各種の下肢衣類（Ｚ：靴下類、レギンス、トレンカ、スパッツ等）間において、アクセサリ類（Ａ）を取付けることが可能である。
【００４９】
アクセサリ類取付用具（Ｘ）によれば、雄側取付具（Ｘ２）の突起部材（２２）を伸縮性生地（Ｚａ）と共にバネ部材（２）の第１及び第２バネ線部（２Ａ）、（２Ｂ）に挿入し、第１及び第２バネ線部（２Ａ）、（２Ｂ）をストッパ溝（２３）内に装着するだけで、雌側取付具（Ｘ１）及び雄側取付具（Ｘ２）とで協働して、下肢衣類（Ｚ）の伸縮性生地（Ｚａ）を挟み込めるので、簡単な構成及び手順で、伸縮性生地（Ｚａ）に伝線や破れ等が生じることを抑制しつつ、アクセサリ類（Ａ）を下肢衣類（Ｚ）の表側に取付けることが可能である。
【００５０】
アクセサリ類取付用具（Ｘ）では、下肢衣類（Ｚ）の伸縮性生地（Ｚａ）の厚さ寸法：ｔに応じて、バネ部材（２）の弾性力（Ｆ）を選択できる。バネ部材（２）の弾性力（Ｆ）は、バネ線材の直径寸法：ｄａ、第１及び第２バネ線部（２Ａ）、（２Ｂ）の内周直径寸法：ｄｃ、及び突起部材（２２）の直径寸法：ｄ４を選択することで調節できる。
【００５１】
アクセサリ類取付用具（Ｘ）において、雌側取付具（Ｘ２）は、図１乃至図５に示す構成に限定されず、例えば、同円周上に配置され、内周直径寸法：ｄｃの環状バネ部材を採用できる。環状バネ部材は、ステンレス鋼等の金属線材で形成され、一部を切断して拡径自在に構成する。そして、台座部材は、環状バネ部材の一端側を拡径自在に支持し、環状バネ部材に間隔を隔ててアクセサリ類を支持する構成とする。
これにより、図１乃至図１２に示すアクセサリ類取付用具（Ｘ）と同様な、取付手順、又は取外手順で、アクセサリ類を下肢衣料の表側に取外自在として取付けることが可能となる。
【００５２】
次に、アクセサリ取付用具（Ｘ）の他の実施形態１乃至３について、図１３乃至図２２を参照して説明する。なお、図１３乃至図２２において、図１乃至図１２及び図２３と同一符号は、同一部材及び構成を示すので、詳細な説明は省略する。
【００５３】
＜他の実施形態１＞
図１３において、雄側取付具（Ｘ２）は、上下一対の突起部材（２２）、（２２）、及びストッパ溝（２３）を含んで構成される。ストッパ溝（２３）は、軸心線方向（Ｐ）において、上側及び下側の突起部材（２２）、（２２）の中央部に形成される。
上側の突起部材（２２）は、軸心線方向（Ｐ）の上方側に突出し、下側の突起部材（２２）は、軸心線方向（Ｐ）の下方側に突出している。上側及び下側の突起部材（２２）、（２２）の外周（２２Ａ）には、第１円弧部（２２ａ）及び第２円弧部（２２ｂ）が形成される。
これにより、雄側取付具（Ｘ２）において、図１３（ｂ）に示すように、上側の突起部材（２２）又は下側の突起部材（２２）を伸縮性生地（Ｚａ）の裏側（Ｚ２）に押付けて、伸縮性生地（Ｚａ）を裏側から表側に押出すことができ、上側の突起部材（２２）又は下側の突起部材（２２）及び伸縮性生地（Ｚａ）をバネ部材（２）の第１及び第２バネ線部（２Ａ）、（２Ｂ）内に挿入して、図１１及び図１２と同様に、伸縮性生地（Ｚａ）を挟み込むことが可能となる。図１３の雄側取付具（Ｘ２）は、軸心線方向（Ｐ）の上下側に突起部材（２２）、（２２）を形成しているので、下肢衣類（Ｚ）内において、容易に、突起部材を伸縮性生地（Ｚａ）の裏側（Ｚ１）に対峙させることができる。なお、図１３において、上側及び下側の突起部材（２２）、（２２）の高さ寸法（Ｈ２）を調整することで、雌側取付具（Ｘ１）の第１収納空間（３）内に収納可能にする。
【００５４】
＜他の実施形態２＞
雌側取付具（Ｘ１）において、バネ部材（２）は、図１４に示すように、「逆く字形」の第１バネ線部（２Ａ）、及び「く字形」の第２バネ線部（２Ｂ）を備え、第１及び第２バネ線部（２Ａ）、（２Ｂ）は、第１収納空間（３）内に拡大自在として収納され、連結バネ線部（２Ｃ）、第１及び第２開放バネ線部（２Ｄ）、（２Ｅ）に連結されている。バネ部材（２）は、各バネ線部（２Ｃ）〜（２Ｅ）によって、第２収納空間（５）内で台座部材（１）に支持されている。
第１及び第２バネ線部（２Ａ）、（２Ｂ）は、図１４に示すように、同円周（ｃ）上に配置され、間隔を隔てて対峙されている。第１バネ線部（２Ａ）は、軸心線（ａ）に直交する径方向において、軸心線（ａ）から離間しつつ突出して「逆く字状」に屈曲され、第２バネ線部（２Ｂ）は、軸心線（ａ）及び第１バネ線部（２Ａ）から離間しつつ突出して「く字状」に屈曲され、第１及び第２バネ線部（２Ａ）、（２Ｂ）は第１収納空間（３）と同軸心に配置される。
図１４のバネ部材（２）において、雄側取付具（Ｘ１）及び伸縮性生地（Ｚａ）が挿入されると、第１及び第２バネ線部（２Ａ）、（２Ｂ）は弾性力を有して離間する方向に拡大する。続いて、図１５に示すように、バネ部材（２）の第１及び第２バネ線部（２Ａ）、（２Ｂ）は、ストッパ溝（２３）内に装着されると、弾性力（Ｆ）で伸縮性生地（Ｚａ）を上側及び下側の突起部材（２２）に付勢して、各突起部材（２２）、（２２）とで挟み込み、アクセサリ類（Ａ）を下肢衣料（Ｚ）の表側に取付ける。
【００５５】
＜他の実施形態３＞
雌側取付具（Ｘ１）において、台座部材（１）は、図１６乃至図１９に示すように、ハート形に形成され、取外穴（５１）を有している。取外穴（５１）は、例えば、ハート形に形成され、台座部材（１）の形状とデザイン的に同一としている。台座部材（１）は、図１６及び図１７に示すように、ハート形表面（１Ｂ）にアクセサリ類（Ａ）を配置する。
台座部材（１）の取外穴（５１）は、図１６及び図１９に示すように、アクセサリ類（Ａ）側に開口して、第１収納空間（３）内に連通されている。
取外穴（５１）は、第１及び第２収納空間（３）、（５）の軸心線（ａ）と同軸心に配置され、台座部材（１）は、図１９に示すように、軸心線方向（Ｕ）に、第１収納空間（３）及び取外穴（５１）を連続して有し、台座部材（１）のハート形底面（１Ａ）及びアクセサリ類（Ａ）側のハート形表面（１Ｂ）に開口している。これにより、取外軸材（図２２参照）を取外穴（５１）から台座部材（１）の第１収納空間（３）内に挿入できる。
【００５６】
雌側取付具（Ｘ１）において、バネ部材（２）は、図１６及び図１８に示すように、金属線材を三角形状に形成して構成されている。バネ部材（２）は、図１８に示すように、三角形状の２辺を構成する第１及び第２バネ線部（２Ａ）、（２Ｂ）を備え、第１及び第２バネ線部（２Ａ）、（２Ｂ）は、第１収納空間（３）内に拡大自在として収納され、連結バネ線部（２Ｃ）に連結に連結されている。連結バネ線部２Ｃは、三角形状の一辺を構成し、第１及び第２バネ線部（２Ａ）、（２Ｂ）の一端の夫々に連結されている。連結バネ線部（２Ｃ）は、図１８及び図１９に示すように、第１収納空間（３）内に収納され、第２収納空間（５）内で台座部材（１）に支持される。
第１及び第２バネ線部（２Ａ）、（２Ｂ）は、図１９に示すように、第１収納空間（３）内に収納され、第１及び第２バネ部材（２Ａ）、（２Ｂ）の他端側は、間隔（Ｌ１）を隔てて、第２空間内（５）内で台座部材（１）に支持される。第１及び第２バネ線部（２Ａ）、（２Ｂ）の他端側は、第２収納空間（５）内で台座部材（１）に支持されるので、第１及び第２開放バネ部（２Ｄ）、（２Ｅ）の機能を備えている。
【００５７】
バネ部材（２）において、第１及び第２バネ線部（２Ａ）、（２Ｂ）、連結バネ線部（２Ｃ）は、図１８に示すように、同円周（ｃ）上に配置され、間隔を隔てて対峙されている。
第１及び第２バネ線部（２Ａ）、（２Ｂ）と連結バネ線部（２Ｃ）の間は、図１８に示すように、半径（Ｒ１）の円弧部（２ａ）を形成している。
【００５８】
雄側取付具（Ｘ２）は、図１９に示すように、上下一対の突起部材（２２）、（２２）、及びストッパ溝（２３）を含んで構成され、図１３（ａ）と同一構成である。
【００５９】
図１９及び図２０において、雄側取付具（Ｘ１）の高さ寸法（ｈ）、及び第１収納空間（３）の高さ寸法（Ｈ）の関係は、高さ寸法（ｈ）＜高さ寸法（Ｈ）の関係にある。これにより、雄側取付具（Ｘ２）は、台座部材（１）の第１収納空間（３）内に、各突起部材（２２）、（２２）を収納できる。
下側及び上側の突起部材（２２）は、図１３（ａ）に示すように、高さ寸法はｈ２−Ｔ１で設定されている。図１３（ａ）及び図１９において、各突起部材（２２）の高さ寸法：（ｈ２−Ｔ１）、及び第１収納空間（３）の間隔（Ｈ１）の関係は、高さ寸法：（ｈ２−Ｔ１）＜間隔（Ｈ１）の関係にある。これにより、各突起部材（２２）、（２２）の一方側は、第１収納空間（３）内の間隔（Ｈ１）間に収納できる。
【００６０】
＜アクセサリ類取付具（Ｘ）の取付手順＞
図２１において、雄側取付具（Ｘ２）は、上側の突起部材（２２）又は下側の突起部材（２２）を伸縮生地（Ｚａ）の裏側（Ｚ２）に押付けて、伸縮性生地（Ｚａ）を裏側から表側に押出す。例えば、上側の突起部材（２２）を伸縮性生地（Ｚａ）と共に、台座部材（１）のハート形底面（１Ａ）の開口（１ａ）を通して第１収納空間（３）内に挿入し、更にバネ部材（２）の第１及び第２バネ線部（２Ａ）、（２Ｂ）、連結バネ線部（２Ｂ）内に挿入することで、バネ部材（２）は弾性力を有して拡大される。このとき、下肢衣類（Ｚ）の伸縮性生地（Ｚａ）は、上側の突起部材（２２）の押出しによって、裏側から表側に押し出されて、伸長状態にされる［図２１（ｂ）参照］。
バネ部材（２）の第１及び第２バネ線部（２Ａ）、（２Ｂ）は、図２１（ａ）に示すように、拡大されると、間隔（Ｌ１）を広げるように、離間されて、第２収納空間（５）内で台座部材（１）に支持されるので、第１及び第２バネ線部（２Ａ）、（２Ｂ）の他端に伸縮性生地（Ｚａ）が引っ掛かることを防止できる。また、連結バネ線部（２Ｃ）も拡大に伴って、第２収納空間（５）内で台座部材（１）に支持される。
【００６１】
続いて、バネ部材（２）の第１及び第２バネ線部（２Ａ）、（２Ｂ）、連結バネ線部（２Ｃ）は、上側の突起部材（２２）及び伸縮性生地（Ｚａ）の挿入に伴って、ストッパ溝（２３）に装着される。ストッパ溝（２３）の装着に伴って、バネ部材（２）は、弾性力（Ｆ）で伸縮性生地（Ｚａ）を雄側取付具（Ｘ２）の各突起部材（２２）、（２２）とで挟み込む。
これにより、雌側取付具（Ｘ１）及び雄側取付具（Ｘ２）は、図２１に示すように、一体化され、協働して、下肢衣類（Ｚ）の表側及び裏側から伸縮性生地（Ｚａ）を挟み込んで、アクセサリ類（Ａ）を下肢衣類（Ｚ）の表側に取付ける。
雄側取付具（Ｘ２）は、図２１（ｂ）に示すように、台座部材（１）の第１収納空間（３）に収納され、上側の突起部材（２２）は、第１収納空間（３）を通して取付穴（５１）に対峙され、下側の突起部材（２２）は、第１収納空間（３）内の間隔（Ｈ１）に収納される。雄側取付具（Ｘ２）のストッパ溝（２３）は、図２１（ｂ）に示すように、伸縮性生地（Ｚａ）を介して第２収納空間（５）に対峙される。
なお、基本的な取付手順は、図９乃至図１２で説明したのと同様である。
【００６２】
＜アクセサリ類取付具（Ｘ）の取外手順＞
図２１及び図２２において、アクセサリ類取付具（Ｘ）を下肢衣類（Ｚ）の表側に取付けると、台座部材（１）の取外穴（５１）は、第１収納空間（３）に収納した雄側取付具（Ｘ２）の上側の突起部材（２２）に対して、第１収納空間（３）を通して対峙される。
雌側取付具（Ｘ１）において、図２２（ａ）に示すように、台座部材（１）の取外穴（５１）内に取外軸材（５２）を挿入し、取外軸材（５２）を取外穴（５１）から第１収納空間（３）内の雄側取付具（Ｘ２）に押付ける。このとき、取外軸材（５２）は、図２２（ａ）に示すように、雄側取付具（Ｘ２）の上側の突起部材（２２）に当接され、雄側取付具（Ｘ２）を第１収納空間（３）の開口（１ａ）に向けて押す。
【００６３】
更に、取外軸材（５２）を取外穴（５１）、第１収納空間（３）内に挿入して、雄側取付具（Ｘ１）を第１収納空間（３）の開口（１ａ）側に押すと、バネ部材（２）の第１及び第２バネ線部（２Ａ）、（２Ｂ）、連結バネ線部（２Ｃ）は、ストッパ溝（２３）から拡大しつつ抜け出して上側の突起部材（２２）に至る。取外軸材（５２）によって、更に雄側取付具（Ｘ２）を雌側取付具（Ｘ１）から離間する方向に押すことで、第１及び第２バネ線部（２Ａ）、（２Ｂ）、連結バネ線部（２Ｃ）内から上側の突起部材（２２）を抜き出し、更に台座部材（１）の第１収納空間（３）内から取外す。
このとき、下肢衣類（Ｚ）の伸縮性生地（Ｚａ）は、図２２に示すように、伸長状態から縮むようにされ、これにより、雄側取付具（Ｘ１）及び雌側取付具（Ｘ２）を下肢衣類（Ｚ）から取外す際に、下肢衣類（Ｚ）の伸縮生地（Ｚａ）を引っ張って伸長することなく下肢衣類（Ｚ）から取外すことができるので、下肢衣類（Ｚ）の伸縮性生地（Ｚａ）を傷めることを防止できる。特に、伸縮性生地（Ｚａ）の薄い、パンティストッキング等に有効であり、伸縮性生地（Ｚａ）を傷めることなく、雄側取付具（Ｘ１）及び雌側取付具（Ｘ２）を下肢衣類（Ｚ）から取外すことができる。
【００６４】
図１６乃至図２２の他の実施形態３において、バネ部材（２）として、金属線材で三角形状に形成したものについて説明したが、これに限定されるものでなく、図１乃至図１５のバネ部材（２）の構成を採用でき、雄側取付具（Ｘ１）として、図６乃至図８の構成を採用できる。また、雄側取付具（Ｘ２）は、図６乃至図８の構成を採用できる。
【産業上の利用可能性】
【００６５】
本考案は、アクセサリ類を下肢衣類の表側に取外自在として取付けるのに好適である。
【符号の説明】
【００６６】
Ｘ  アクセサリ類取付用具
Ｘ１  雌側取付具
Ｘ２  雄側取付具
Ｙ  下肢
Ｚ  下肢衣類
Ｚａ  伸縮性生地
Ｚ１  伸縮性生地の表側
Ｚ２  伸縮性生地の裏側
Ａ  アクセサリ類
１  台座部材
２  バネ部材
２１  基部材
２２  突起部材
２３  ストッパ溝
【図１】
0003171340.tif 000003
【図２】
0003171340.tif 000004
【図３】
0003171340.tif 000005
【図４】
0003171340.tif 000006
【図５】
0003171340.tif 000007
【図６】
0003171340.tif 000008
【図７】
0003171340.tif 000009
【図８】
0003171340.tif 000010
【図９】
0003171340.tif 000011
【図１０】
0003171340.tif 000012
【図１１】
0003171340.tif 000013
【図１２】
0003171340.tif 000014
【図１３】
0003171340.tif 000015
【図１４】
0003171340.tif 000016
【図１５】
0003171340.tif 000017
【図１６】
0003171340.tif 000018
【図１７】
0003171340.tif 000019
【図１８】
0003171340.tif 000020
【図１９】
0003171340.tif 000021
【図２０】
0003171340.tif 000022
【図２１】
0003171340.tif 000023
【図２２】
0003171340.tif 000024
【図２３】
0003171340.tif 000025